(57)【要約】【課題】  原稿情報をカラー読み取りして、送信する、色空間Ｌａｂでのカラーファクミリ通信は、原稿情報という単位で送信する事が明確であるが、色空間ｓＹＣＣでのデジタルスチルカメラで撮影したカラー情報通信では、送信機側で、１ページ情報として、連続してカラーファイル情報を送信するケースも考えられ（サムネイル添付）、この送り方に受信機側で対応していないと受信できないという欠点があった。【解決手段】  送信機より、色空間ｓＹＣＣのＪＰＥＧ通信を指定された時、ページ情報の中に複数枚の画像が含まれていた場合（サムネイルも一緒に受信した場合）、その受信情報は複数枚の画像として受信処理する事を特徴とするファクシミリ装置。【選択図】  図１
2006074354.tif 000002
【特許請求の範囲】
【請求項１】
カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段を有し、送信機より、色空間ｓＹＣＣのＪＰＥＧ通信を指定された時、ページ情報の中に複数枚の画像が含まれていた場合、その受信情報は複数枚の画像として受信処理する事を特徴とするファクシミリ装置。
【請求項２】
請求項１のファクシミリ装置において、送信機より、色空間ｓＹＣＣのＪＰＥＧ通信を指定された時、ページ情報の中にサムネイル画像が含まれて入れば、その画像はサムネイル画像として受信処理する事を特徴とするファクシミリ装置。
【請求項３】
請求項１、２のファクシミリ装置において、送信機より、色空間ＬａｂのＪＰＥＧ通信を指定された時、ページ情報の中に複数枚の画像が含まれていた場合、その受信を中断する事を特徴とするファクシミリ装置。
【請求項４】
請求項１、２、３のファクシミリ装置において、送信機より、色空間ＬａｂのＪＰＥＧ通信を指定された時、ページ情報の中にサムネイル画像が含まれて入れば、その受信を中断する事を特徴とするファクシミリ装置。
【請求項５】
カラー情報を通信可能なファクシミリ通信方式において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段を有し、送信機より、色空間ｓＹＣＣのＪＰＥＧ通信を指定された時、ページ情報の中に複数枚の画像が含まれていた場合、その受信情報は複数枚の画像として受信処理する事を特徴とするファクシミリ通信方式。
【請求項６】
請求項５のファクシミリ通信方式において、送信機より、色空間ｓＹＣＣのＪＰＥＧ通信を指定された時、ページ情報の中にサムネイル画像が含まれて入れば、その画像はサムネイル画像として受信処理する事を特徴とするファクシミリ通信方式。
【請求項７】
請求項５、６のファクシミリ通信方式において、送信機より、色空間ＬａｂのＪＰＥＧ通信を指定された時、ページ情報の中に複数枚の画像が含まれていた場合、その受信を中断する事を特徴とするファクシミリ通信方式。
【請求項８】
請求項５、６、７のファクシミリ通信方式において、送信機より、色空間ＬａｂのＪＰＥＧ通信を指定された時、ページ情報の中にサムネイル画像が含まれて入れば、その受信を中断する事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。最近は、デジタルカメラが普及して、デジタルカメラで撮影した情報をそのままファクシミリプロトコルを使用して送信したいというニーズが高まってきた。これに伴い、デジタルスチルカメラで使用している色空間はＬａｂでなく、色空間ｓＹＣＣでのカラー通信である。このため、色空間ｓＹＣＣでのＪＰＥＧ符号化情報をそのまま送信するプロトコルが検討中である。
【０００３】
そして、カラーＦＡＸで受信したＪＰＥＧファイルのサムネイル画像の扱いに関するもので、サムネイル画像をプリントするものはある（例えば特許文献１）。
【特許文献１】特開２００４−１４０５４３号公報
【発明の開示】
【発明が解決しようとする課題】
【０００４】
しかしながら、色空間ｓＹＣＣのＪＰＥＧフルカラー送信を考えると、カラー原稿情報の送信では無く、デジタルスチルカメラで撮影しコンパクトフラッシュ（登録商標）カードに格納されているファイル情報を送信するケースが多い事が予想される。
【０００５】
このため、原稿情報をカラー読み取りして、送信する、色空間Ｌａｂでのカラーファクミリ通信は、原稿情報という単位で送信する事が明確であるが、色空間ｓＹＣＣでのデジタルスチルカメラで撮影したカラー情報通信では、送信機側で、１ページ情報として、連続してカラーファイル情報を送信するケースも考えられ、この送り方に受信機側で対応していないと受信できないという欠点があった。
【課題を解決するための手段】
【０００６】
第１の本発明によれば、カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ情報の受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧ符号化情報の送信を指定する手段を有し、送信機より、色空間ｓＹＣＣのＪＰＥＧ通信を指定された時、ページ情報の中に複数枚の画像が含まれていた場合、その受信情報は複数枚の画像として受信処理する事が可能になった。
【０００７】
これにより、色空間ｓＹＣＣでのデジタルスチルカメラで撮影したカラー情報通信では、送信機側で、１ページ情報として、連続してカラーファイル情報を送信するケースも考えられるが、この送り方に対しても適切に受信機側で対応し受信でき、ユーザにはとても使い易くなった。
【０００８】
第２の本発明によれば、第１の本発明のファクシミリ装置において、送信機より、色空間ｓＹＣＣのＪＰＥＧ通信を指定された時、ページ情報の中にサムネイル画像が含まれて入れば、その画像はサムネイル画像として受信処理する事が可能になった。
【０００９】
これにより、色空間ｓＹＣＣでのデジタルスチルカメラで撮影したカラー情報通信では、送信機側で、ページ情報の中にサムネイル画像が含まれて入れば、その画像はサムネイル画像として受信処理する事が可能になり、ユーザにはとても使い易くなった。
【００１０】
第３の本発明によれば、第１、２の本発明のファクシミリ装置において、送信機より、色空間ＬａｂのＪＰＥＧ通信を指定された時、ページ情報の中に複数枚の画像が含まれていた場合、その受信を中断する事が可能になった。
【００１１】
これにより、原稿情報をカラー読み取りして、送信する、色空間Ｌａｂでのカラーファクミリ通信は、原稿情報という単位で送信する事が明確であるから、送信機より、色空間ＬａｂのＪＰＥＧ通信を指定された時、ページ情報の中に複数枚の画像が含まれていた場合、その受信を中断し、無効な回線捕捉が無くなり、通信コストアップ、回線占有する事による通信チャンスを失う事も無くなり、ユーザにはとても使い易くなった。
【００１２】
第４の本発明によれば、第１、２、３の本発明のファクシミリ装置において、送信機より、色空間ＬａｂのＪＰＥＧ通信を指定された時、ページ情報の中にサムネイル画像が含まれて入れば、その受信を中断する事が可能になった。
【００１３】
これにより、原稿情報をカラー読み取りして、送信する、色空間Ｌａｂでのカラーファクミリ通信は、原稿情報という単位で送信する事が明確であるから、送信機より、色空間ＬａｂのＪＰＥＧ通信を指定された時、ページ情報の中にサムネイル画像が含まれて入れば、その受信を中断し、無効な回線捕捉が無くなり、通信コストアップ、回線占有する事による通信チャンスを失う事も無くなり、ユーザにはとても使い易くなった。
【００１４】
第５から第８の本発明は、第１から第４の本発明をファクシミリ装置からファクシミリ通信方式にしたものである。
【発明の効果】
【００１５】
第１の本発明によれば、色空間ｓＹＣＣでのデジタルスチルカメラで撮影したカラー情報通信では、送信機側で、１ページ情報として、連続してカラーファイル情報を送信するケースも考えられるが、この送り方に対しても適切に受信機側で対応し受信でき、ユーザにはとても使い易くなった。
【００１６】
第２の本発明によれば、色空間ｓＹＣＣでのデジタルスチルカメラで撮影したカラー情報通信では、送信機側で、ページ情報の中にサムネイル画像が含まれて入れば、その画像はサムネイル画像として受信処理する事が可能になり、ユーザにはとても使い易くなった。
【００１７】
第３の本発明によれば、原稿情報をカラー読み取りして、送信する、色空間Ｌａｂでのカラーファクミリ通信は、原稿情報という単位で送信する事が明確であるから、送信機より、色空間ＬａｂのＪＰＥＧ通信を指定された時、ページ情報の中に複数枚の画像が含まれていた場合、その受信を中断し、無効な回線捕捉が無くなり、通信コストアップ、回線占有する事による通信チャンスを失う事も無くなり、ユーザにはとても使い易くなった。
【００１８】
第４の本発明によれば、原稿情報をカラー読み取りして、送信する、色空間Ｌａｂでのカラーファクミリ通信は、原稿情報という単位で送信する事が明確であるから、送信機より、色空間ＬａｂのＪＰＥＧ通信を指定された時、ページ情報の中にサムネイル画像が含まれて入れば、その受信を中断し、無効な回線捕捉が無くなり、通信コストアップ、回線占有する事による通信チャンスを失う事も無くなり、ユーザにはとても使い易くなった。
【００１９】
第５から第８の本発明は、第１から第４の本発明をファクシミリ装置からファクシミリ通信方式にしたものである。
【発明を実施するための最良の形態】
【００２０】
（実施例１）
以下、図面に示す実施の形態に基づいて、本発明を詳細に説明する。
【００２１】
図１には、本発明の実施の形態であるファクシミリ装置がブロック図として図示されている。
【００２２】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００２３】
４は、電話機である。
【００２４】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００２５】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００２６】
１０は、発呼回路であり、バス２６からの信号により、電話番号情報を入力し、信号線１０ａにＤＴＭＦの選択信号を出力する。
【００２７】
１２は、加算回路であり、信号線８ａの情報と信号線１０ａの情報を入力し、加算した結果を信号線１２ａに出力する。
【００２８】
１４は、カラー読み取り可能な読取回路であり、読み取りデータをバス２６に出力する。
【００２９】
１６は、カラー記録可能な記録回路であり、バス２６に出力されている情報を順次１ライン毎に記録する。
【００３０】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００３１】
２０は、操作部であり、ワンタッチダイヤル、短縮ダイヤル、テンキー、＊キー、＃キー、スタートキー、ストップキー、セットキー、ファイル情報の送信を選択するキー、カラー原稿送信選択キー、受信機側でカードへの格納選択キー、その他のファンクションキーがあり、押下されたキー情報はバス２６に出力される。
【００３２】
操作部には、表示部があり、バス２６に出力されている情報を入力し、表示する。
【００３３】
２２は、ＣＰＵ（中央処理装置）であり、ファクシミリ全体の制御をしたり、ファクシミリ伝送制御手順を実行するが、その制御プログラムは、ＲＯＭ２４に格納される。
【００３４】
２６は、バスである。
【００３５】
２８は、カードインターフェイスであり、３０のカード（例えば、デジタルカメラで撮影した情報が記憶されているコンパクトフラッシュ（登録商標）カード）がセットされる。
【００３６】
図２には、本発明により、カラー関連のビット情報、さらに、新規にＩＴＵ−Ｔ勧告Ｔ．３０に追加する情報が図示されている。
【００３７】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００３８】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３９】
ＤＩＳ／ＤＴＣ信号のＦＩＦのＸビットにより、色空間ｓＹＣＣでのＪＰＥＧ符号化受信機能の有無を通知し、ＤＣＳ信号のＦＩＦのＸビットにより、色空間ｓＹＣＣでのＪＰＥＧ符号化送信を指定をする。
【００４０】
ＤＩＳ／ＤＴＣ信号のＦＩＦのＸ＋１ビットにより、自由サイズでの幅での受信機能の有無を通知し、２４は、カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧ情報の受信機能の有無を通知する手段、一方、送信機から受信機に、色空間ＬａｂでのＪＰＥＧ符号化情報の送信を指定する手段、、色空間Ｌａｂでのフルカラー情報の送信を指定する手段、色空間ｓＹＣＣでのＪＰＥＧ符号化情報の送信を指定する手段を有し、送信機より、色空間ｓＹＣＣのＪＰＥＧ通信を指定された時、ページ情報の中に複数枚の画像が含まれていた場合、その受信情報は複数枚の画像として受信処理する。また、送信機より、色空間ｓＹＣＣのＪＰＥＧ通信を指定された時、ページ情報の中にサムネイル画像が含まれて入れば、その画像はサムネイル画像として受信処理する。
【００４１】
一方、色空間ＬａｂのＪＰＥＧ通信を指定された時、ページ情報の中に複数枚の画像が含まれていた場合、その受信を中断する。また、送信機より、色空間ＬａｂのＪＰＥＧ通信を指定された時、ページ情報の中にサムネイル画像が含まれて入れば、その受信を中断する。
【００４２】
以上の制御プログラムが格納されている。
【００４３】
図３、４、５、６には、図１の制御の流れ図が図示されている。
【００４４】
図３において、Ｓ０は、始めを表している。
【００４５】
Ｓ２は、バス２６を介して、メモリ１８をイニシャライズする事を表している。
【００４６】
Ｓ４は、バス２６を介して、操作部の表示部をクリアする事を表している。
【００４７】
Ｓ６では、バス２６を介してＮＣＵ２のＣＭＬをオフする。
【００４８】
Ｓ８では、ファクシミリ受信が選択されたか否かが判断されＹＥＳであるとＳ１２に進み、ＮＯであるとＳ１０に進み、その他の処理をする。
【００４９】
Ｓ１２では、バス２６を介してＮＣＵ２のＣＭＬをオンする。
【００５０】
Ｓ１４は前手順を表している。ここで、ＤＩＳ信号のＦＩＦの６８、６９、Ｘビットは１とする。
【００５１】
Ｓ１６では、ＤＣＳ信号のＦＩＦのＸビットは１であるか否かが判断され、ＹＥＳであるとＳ１８に進み、ＮＯであるとＳ３８に進む。
【００５２】
Ｓ１８は、色空間ｓＹＣＣのＪＰＥＧ情報のメモリ受信を表している。
【００５３】
Ｓ２０では、１ページの送信情報（ここでは、ＰＰＳ−Ｑ（Ｑ＝ＮＵＬＬを除く）での１ページ）に複数情報がＪＰＥＧ情報として、含まれているか否かが判断され、ＹＥＳであるとＳ２２に進み、ＮＯであるとＳ３２に進む。
【００５４】
Ｓ２２は、受信した複数情報／１ページを複数情報の画像として記録処理する事を表している。
【００５５】
Ｓ２４は、中間手順を表している。
【００５６】
Ｓ２６では、受信した手順信号は、ＰＰＳーＭＰＳ信号であるか否かが判断され、ＹＥＳであるとＳ１８に進み、ＮＯであるとＳ２８に進む。
【００５７】
Ｓ２８では、受信した手順信号は、ＰＰＳーＥＯＭ信号であるか否かが判断され、ＹＥＳであるとＳ１４に進み、ＮＯであるとＳ３０に進む。
【００５８】
Ｓ３０は、後手順を表している。
【００５９】
Ｓ３２では、サムネイル画像がＪＰＥＧ情報として、含まれているか否かが判断され、ＹＥＳであるとＳ３４に進み、ＮＯであるとＳ３６に進む。
【００６０】
Ｓ３４は、受信した画情報とサムネイル画像を区別して記録処理する事を表している。
【００６１】
Ｓ３６は、受信した色空間ｓＹＣＣのＪＰＥＧ符号化情報の記録処理する事を表している。
【００６２】
Ｓ３８では、ＤＣＳ信号のＦＩＦの６８ビットは１であるか否かが判断され、ＹＥＳであるとＳ４４に進み、ＮＯであるとＳ４０に進む。
【００６３】
Ｓ４０は、全ページのモノクロ２情報を受信し、記録する事を表している。
【００６４】
Ｓ４２は、後手順を表している。
【００６５】
Ｓ４４は、色空間ＬａｂのＪＰＥＧ情報のメモリ受信を表している。
【００６６】
Ｓ４６では、１ページの送信情報（ここでは、ＰＰＳ−Ｑ（Ｑ＝ＮＵＬＬを除く）での１ページ）に複数情報がＪＰＥＧ情報として、含まれているか否かが判断され、ＹＥＳであるとＳ４８に進み、ＮＯであるとＳ５０に進む。
【００６７】
Ｓ４８は、通信を中断してエラー処理する事を表している。
【００６８】
Ｓ５０では、サムネイル画像がＪＰＥＧ情報として、含まれているか否かが判断され、ＹＥＳであるとＳ４８に進み、ＮＯであるとＳ５２に進む。
【００６９】
Ｓ５２は、受信した色空間ＬａｂのＪＰＥＧ符号化情報の記録処理する事を表している。
【００７０】
Ｓ５４は、中間手順を表している。
【００７１】
Ｓ５６では、受信した手順信号は、ＰＰＳーＭＰＳ信号であるか否かが判断され、ＹＥＳであるとＳ４４に進み、ＮＯであるとＳ５８に進む。
【００７２】
Ｓ５８では、受信した手順信号は、ＰＰＳーＥＯＭ信号であるか否かが判断され、ＹＥＳであるとＳ１４に進み、ＮＯであるとＳ３０に進む。
【図面の簡単な説明】
【００７３】
【図１】本発明によるファクシミリ装置の実施例のブロック図
【図２】本発明によるＤＩＳ／ＤＴＣ、ＤＣＳ信号のＦＩＦ情報の具体例
【図３】本発明による制御の流れ図
【図４】本発明による制御の流れ図
【図５】本発明による制御の流れ図
【図６】本発明による制御の流れ図
【符号の説明】
【００７４】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2006074354.tif 000003
【図２】
2006074354.tif 000004
【図３】
2006074354.tif 000005
【図４】
2006074354.tif 000006
【図５】
2006074354.tif 000007
【図６】
2006074354.tif 000008